(57)【要約】【課題】ボトルへの詰め替えに適した排出口の狭いパウチなどにおいても、洗剤の排出時に粉づまりを起こさず、高速排出性を有し、使用性に優れた食器洗浄機用粉末洗浄剤組成物及び食器洗浄機用粉末洗浄剤製品を提供する。【解決手段】本発明の食器洗浄機用粉末洗浄剤組成物は、圧縮成形物の引張破断応力が２００００（Ｎ／ｍ2）以下であり、かつ安息角が５０度以下であることを特徴とする。また、本発明の食器洗浄機用粉末洗浄剤製品は、直径が２〜５ｃｍの範囲にある洗剤の排出口を形成しうるパウチに、上記粉末洗浄剤組成物が収納されていることを特徴とする。【選択図】  なし【特許請求の範囲】
【請求項１】
圧縮成形物の引張破断応力が２００００（Ｎ／ｍ2）以下であり、かつ安息角が５０度以下であることを特徴とする食器洗浄機用粉末洗浄剤組成物。
【請求項２】
直径が２〜５ｃｍの範囲にある洗剤の排出口を形成しうるパウチに、請求項１記載の粉末洗浄剤組成物が収納されていることを特徴とする食器洗浄機用粉末洗浄剤製品。
【発明の詳細な説明】
【０００１】
【発明の属する技術分野】
本発明は、食器洗浄機用粉末洗浄剤組成物に関し、更に詳しくは、詰め替えに用に好適な食器洗浄機用粉末洗浄剤組成物に関する。
【０００２】
【従来技術】
近年、自動食器洗浄機は、ここ数年急激に普及しており、普及に伴って狭い台所やシステムキッチンに組み込まれたものなどがあり、洗浄剤の保管場所も自動食器洗浄機の上やシンクの下など様々である。
【０００３】
既存の食器洗浄機用洗浄剤の多くは、箱の上部が開口する容器から付属のスプーンで秤り取り食器洗浄機の中に入れて使用するものであった。また、最近では、計量器内蔵ボトルに収容される食器洗浄機用洗浄剤も使用されるようになってきている。
このような計量器内蔵ボトル等に収納されるものでは、洗浄剤を使い終わると、詰め替え用の洗浄剤を入れて使用するものであった。
【０００４】
これらの詰め替え用の食器洗浄機用洗浄剤は、通常、パウチ等の容器に入れられている。例えば、ペルカーボネート漂白剤を含有する粒状洗浄剤組成物と該洗浄剤組成物を収納するパッケージ化システム（バッグ又はパウチ）との組合わせであって、前記洗浄剤組成物が３５℃で３００％未満の平衡相対湿度を有し、かつ、パッケージ化システムが水蒸気移動速度１ｇ／ｍ2／日〜２０ｇ／ｍ2／日未満の値を有する少なくとも１ユニットを含有することを特徴とする洗浄剤製品が知られている（例えば、特許文献１参照）。
【０００５】
【特許文献１】
特表平９―５０２７４２号公報（特許請求の範囲等）
【０００６】
上記特許文献１に開示される洗浄剤製品を含めた従来の詰め替えパウチの内容物である食器洗浄機用洗浄剤は、間口の広いピラードへの詰め替えが対象であり、粉の流動性の問題はなかった。
【０００７】
しかしながら、ボトルへの詰め替えに適した口径の狭いパウチに充填した場合には、洗浄剤の排出時に、その口径の狭さゆえ、粉づまりによる排出速度低下を生じ、消費者にその使用性に対する不満感を生み出すなどの課題を生じているのが現状である。
【０００８】
【発明が解決しようとする課題】
本発明は、上記従来技術の課題及び現状等に鑑み、これを解消しようとするものであり、ボトルへの詰め替えに適した排出口の狭いパウチなどにおいても、洗剤の排出時に粉づまりを起こさず、高速排出性を有し、使用性に優れた食器洗浄機用粉末洗浄剤組成物を提供することを目的とする。
【０００９】
【課題を解決するための手段】
本発明者らは、上記従来技術の課題等について、鋭意検討した結果、圧縮成形物である食器洗浄機用の粉末洗剤の引張破断応力を特定値以下とし、かつ、安息角を特定値以下とすることにより、上記目的の食器洗浄機用粉末洗浄剤組成物が得られることを見い出し、本発明を完成するに至ったのである。
すなわち、本発明は、次の(1)及び(2)に存する。
(1) 粉末洗剤の圧縮成形物の引張破断応力が２００００（Ｎ／ｍ2）以下であり、かつ安息角が５０度以下であることを特徴とする食器洗浄機用粉末洗浄剤組成物。
(2) 直径が２〜５ｃｍの範囲にある潜在の排出口を形成しうるパウチに、上記(1)記載の粉末洗浄剤組成物が収納されていることを特徴とする食器洗浄機用粉末洗浄剤製品。
なお、本発明で規定する「引張破断応力」は、上下に２分割される円筒セル中に粉体層を圧縮成形させ、次に、下部セル固定の状態で上部セルに垂直方向に引張力を加えて破断する垂直引張破断を行った際の応力であり、下記表１の条件で測定した値をいう。
【００１０】
【発明の実施の形態】
以下に、本発明の実施の形態を詳しく説明する。
本発明の食器洗浄機用粉末洗浄剤組成物は、粉末洗剤の圧縮成形物の引張破断応力が２００００（Ｎ／ｍ2）以下であり、かつ安息角が５０度以下であることを特徴とするものである。
【００１１】
本発明において用いる食器洗浄機用粉末洗剤成分としては、上記各引張破断応力及び安息角の特性が得られるものであれば、食器洗浄機用粉末洗剤に一般的に使われている洗浄成分を使用することができる。
これらの食器洗浄機用粉末洗剤に用いられる成分としては、アルカリ剤、界面活性剤、酸化剤及びキレート剤などが挙げられる。
用いることができるアルカリ剤としては、アルカリ金属の水酸化物、炭酸塩及び各種珪酸塩類等が挙げられる。
具体的なアルカリ金属としては、例えば、ナトリウムやカリウムを挙げることができる。アルカリ金属水酸化物としては、例えば、水酸化ナトリウム、水酸化カリウム等を挙げることができる。また、アルカリ金属炭酸塩としては、例えば、炭酸ナトリウム、炭酸水素ナトリウム、炭酸カリウムを挙げることができる。アルカリ金属珪酸塩としては、例えば、オルト珪酸ナトリウム、オルト珪酸カリウム、メタ珪酸ナトリウム、メタ珪酸カリウム等を挙げることができる。
これらのうちで最も一般的に使用されるアルカリ剤は、炭酸ナトリウム、炭酸水素ナトリウム、炭酸カリウムである。
これらのアルカリ剤の配合量は、特に限定するものではないが、本発明の洗浄剤全量（１００質量％、以下同様）に対して、１〜９０質量％（以下、単に「％」という）、好ましくは、５〜８０％の範囲で用いられる。
【００１２】
用いることができるキレート剤は、特に限定されるものではないが、例えば、アミノカルボン酸、オキシカルボン酸、ポリマー、縮合リン酸などの金属塩、特にナトリウム塩、カリウム塩などのアルカリ金属塩が挙げられる。
アミノカルボン酸塩としては、具体的には、アルカリ金属エチレンジアミン４酢酸塩、アルカリ金属ニトリロ３酢酸塩、アルカリ金属ヒドロキシエチルエチレンジアミン３酢酸塩、アルカリ金属ジエチレントリアミン５酢酸塩、アルカリ金属トリエチレンテトラアミン６酢酸塩、アルカリ金属ヒドロキシイミノ２酢酸塩、アルカリ金属ヒドロキシアミノ酢酸塩、アルカリ金属グリシン塩、アルカリ金属ジヒドロキシエチルグリシン等を挙げることができる。
オキシカルボン酸としては、具体的には、グルコン酸、クエン酸、グリコール酸、リンゴ酸、酒石酸、乳酸等を挙げることができる。
また、ポリマーとしては、具体的には、カルボキシメチルセルロース、ポリアクリル酸、ポリメタクリル酸、アクリル酸とビニル化合物との共重合体、アクリル酸とマレイン酸との共重合体、マレイン酸重合体のアルカリ金属塩等を挙げることができる。
更に、縮合リン酸塩としては、具体的には、アルカリ金属ピロリン酸塩、アルカリ金属トリポリリン酸塩、アルカリ金属ヘキサメタリン酸塩、アルカリ金属ポリリン酸塩等を挙げることができる。
これらのキレート剤の配合量は、特に限定するものではないが、本発明の洗浄剤全量に対して、５〜８０％、好ましくは、１０〜７０％の範囲で用いられる。
【００１３】
用いることができる酸化剤は、特に限定されるものではないが、次亜塩素酸ナトリウムや過酸化水素等の溶液状の酸化剤は形態的に使用できない。
用いることができる酸化剤としては、例えば、モノパーオキシフタル酸等の有機酸またはその塩、アルカリ金属の過硼酸塩、過炭酸塩、過ケイ酸塩、過硫酸塩等の水溶液中で過酸化水素を発生する過酸化物などを使用することができる。好ましくは、ペルオキソ酸塩が望ましく、特に、ペルオキソ硫酸塩が望ましい。
酸化剤は、洗浄力の増強剤や殺菌剤として使用されるが、高濃度で常用した場合には、食器の絵柄の変色や塩素による食器洗浄機自体の腐食等の原因となるので、洗浄剤の用途により好ましい配合量が適宜設定される。
酸化剤の配合量は、特に限定するものではないが、本発明の洗浄剤全量に対して、０.１〜４０％、好ましくは、１〜２０％の範囲で用いられる。
【００１４】
また、本発明に用いる界面活性剤としては、特に、ノニオン性界面活性剤が好ましい。これは、ノニオン性界面活性剤はイオン性界面活性剤とは異なり、温度が高温曇点以上に上昇すると発泡性が低下するからである。
食器洗浄機で使用する場合には、発泡性の高い界面活性剤は使用不可能であり、低発泡性若しくは無泡性の界面活性剤に限定されることとなる。
用いることかできる界面活性剤は、特に限定されずいずれも使用することができ、例えば、エトキシ化ノニルフェノール類、エトキシ化オクチルフェノール類、エトキシ化ソルビタン脂肪酸エステル類及びこれらのプロピレンオキシド付加物等が挙げられる。
具体的には、アルコール乃至フェノールに１分子当たり平均１〜１０、好ましくは２〜６のエチレンオキサイドと、平均０〜１２、好ましくは２〜６のプロピレンオキサイドとをランダム又はブロック付加した構造をもつ化合物、例えば、エトキシ化第１級脂肪族アルコール類、エトキシ化第２級脂肪族アルコール類及びこれらのプロピレンオキサイド付加物などが挙げられる。
【００１５】
本発明において、界面活性剤の配合量は、洗浄剤全量に対して、１０％以下、好ましくは、０．５〜８％、更に好ましくは、１〜６％の範囲で用いられる。
界面活性剤の配合量が１０％を越えると、泡立ち抑制の面と粉体流動性が損なわれることから、好ましくない。
【００１６】
更に、これらの有効成分の他に、本発明の効果を損なわない範囲内で、その他任意成分としては、例えば、エタノール、プロピレングリコールや精製水等の溶媒類や、酵素、無機金属塩、有機性及び／又は無機性の固形化剤、ｐＨ調整剤、抗菌・殺菌剤、消臭剤、安定剤、イオン性界面活性剤、高分子、無機塩類等、洗浄機用洗浄剤中に一般的に配合されている物質を適宜配合することもできる。
【００１７】
本発明の食器洗浄機用洗浄剤は、上述の各成分を常法により配合し、圧縮成形することにより調製されるものであるが、本発明の目的の効果を発揮させるためには、該食器洗浄機用洗浄剤の粉体特性、すなわち、粉末洗剤の圧縮成形物の引張破断応力を２００００（Ｎ／ｍ2）以下とし、かつ安息角を５０度以下とすることが必要である。好ましくは、１５０００（Ｎ／ｍ2）以下とし、かつ安息角を好ましくは、安息角を３５〜４５度とすること望ましい。
【００１８】
本発明において、上記特性の引張破断応力及び安息角を得るためには、粉全体の剛性を高くし、かつ付着性の高い成分、及び微粉を至適に組み合わせる事により得られる。
この粉末洗剤の圧縮成形物の引張破断応力が２００００（Ｎ／ｍ2）以下とすることにより、圧力を加えられても、固まること無く、快適に詰め替えを行うことが可能となるが、引張破断応力が２００００（Ｎ／ｍ2）を越えると、粉粒子の変形、粉同士の固化による粉づまりを起こし、詰め替えに支障をきたすこととなり、好ましくない。
また、本発明では、安息角が５０度以下とすることにより、消費者がストレスを感じない程度の時間で詰め替えを済ますことが出来、好適な使用性をえることが可能となるが、安息角が５０度を超えると、流動性が悪くなり、使用性が損なわれ、本発明の目的とする食器洗浄機用粉末粉洗剤組成は得られないものとなる。
【００１９】
このように構成される特性の食器洗浄機用粉末洗浄剤を収容する容器としては、例えば、洗剤の排出口を形成しうるパウチ、スタンディングパウチ、プラスチック容器、紙とプラスチックからなる複合容器、プラスチックボトル、ピローパウチ、ガゼット貼り袋、三方シール袋、ブリックス型容器、スティック包装タイプ容器、ゲーブルトップ型容器、チューブ型容器、バックインカートン、バックインボックスなどが挙げられる。
【００２０】
このように構成される本発明の食器洗浄機用粉末洗浄剤組成物では、ボトルへの詰め替えに適した排出口の狭いパウチなどにおいても、洗剤の排出時に粉づまりを起こさず、高速排出性を有し、使用性に優れた食器洗浄機用粉末洗浄剤組成物が得られることとなる。
【００２１】
次に、本発明の食器洗浄機用粉末洗浄剤製品は、直径が２〜５ｃｍの範囲にある洗剤の排出口を形成しうるパウチに、本発明の粉末洗浄剤組成物が収納されていることを特徴とするものである。
【００２２】
本発明の粉末洗浄剤製品に用いるパウチとしては、例えば、図１に示される片側に排出口２を持ち、その口径が３ｃｍであることを特徴とするパウチ１などが挙げられる。
このパウチは、低密度ポリエチレン(LDPE)、中密度ポリエチレン(MDPE)、高密度ポリエチレン(HDPE)、リニヤー低密度ポリエチレン（LLDPE）、メタロセンポリマー、エチレン・酢酸ビニル共重合フィルム(EVA)、その他のPE系シーラントフィルム、無延伸ポリプロピレン(CPP)、二軸延伸ポリプロピレン(OPP)、ポリ塩化ビニリデンコートOPP(KOP)、ＰＶＡコートOPP(AOP)、ポリエステル(PET)、Ｋコートポリエステル(KPET)、延伸ナイロン(ON)、Ｋコートナイロン(KON)、無延伸ナイロン(CN)、ポリビニルアルコール(PVA)、ポリ塩化ビニル(PVC)、ポリ塩化ビニリデン(PVDC)、セロハン(PT、MST、Kセロ)、ゼクロン(ZX)、ポリアクリロニトリル(PAN)、ポリスチレン(PS)、アルミニウム箔(AL)、ＶＭフィルム（アルミ蒸着フィルム、透明蒸着フィルム）、共押出しフィルム(ラミナーフィルム)、紙などで形成されたものである。
【００２３】
このような狭口径パウチでは、従来の食器洗浄機用粉末洗浄剤を入れると、排出時に排出口付近の粉体圧が高くなり、粉づまりを生むこととなる。
本発明の粉末洗浄剤製品では、上記特性の引張破断応力及び安息角となる食器洗浄機用粉末洗浄剤が収納されているので、排出口の直径が２〜５ｃｍの範囲であるパウチに充填した場合にも、洗剤の排出時に粉づまりを起こさず、かつ粉の流れ出るスピードが１０〜１００ｇ／ｓｅｃとなり、使用性に優れた食器洗浄機用粉末洗浄剤製品が得られこととなる。
【００２４】
【実施例】
次に、本発明を実施例及び比較例により更に詳述するが、本発明は下記実施例に限定されるものではない。
【００２５】
〔実施例１〜５及び比較例１〜２〕
下記表２に示す各安息角及び引張破断応力を有する食器洗浄機用粉末洗浄剤を調製した。この各調製法は、リボンミキサーを用いた粉体混合により行った。
各安息角及び引張破断応力は下記方法により測定したものである。
【００２６】
(1) 安息角の測定法
１０６（Ｌ）×３０（Ｗ）×１００（Ｄ）ｍｍ（アクリル樹脂製）の透明直方体に粉末洗浄剤を充填し、側面の排出口を開き、重力により排出させ、残留している粉末洗浄剤の傾斜角（度）を測定した。
【００２７】
(2) 引張破断応力の測定法
アグロボット（粉体層、圧縮・引張強度  自動計測システム、ホソカワミクロン社製）により測定した。具体的には、システムのコンピューターに必要な各パラメーター入力後、粉体の３．０ｇを円筒セル中に仕込み、下記表１の条件で測定した。
【表１】
2004204066.tif 000002
【００２８】
得られた各特性となる食器洗浄機用粉末洗浄剤６００ｇを図１（ａ）及び（ｂ）に準拠する口径３ｃｍのパウチに入れ、下記方法により、排出スピード、粉づまりを評価した。
これらの結果を下記表２に示す。
〔パウチの仕様〕
内容積：L×H＝130×230mm（折込み幅：40mm）
材質：ONY / LLDPE / VMPET
【００２９】
〔排出スピード、粉づまりの評価方法〕
排出スピード口径３ｃｍのパウチ（図１参照）からの排出スピードを測定し、評価した。
また、粉づまりは、上記排出スピード測定を２０人のパネラーにより行った際、粉末洗浄剤の排出時に排出スピードが急激に低下する現象が起こったか否かによって評価した。
【００３０】
【表２】
2004204066.tif 000003
【００３１】
上記表２の結果から明らかなように、本発明の範囲となる実施例１〜５は、本発明の範囲外となる比較例１〜２に較べて、排出スピードも良好であり、粉づまりもなく、使用性に優れたものであることが判明した。
【００３２】
【発明の効果】
本発明によれば、ボトルへの詰め替えに適した排出口の狭いパウチなどにおいても、洗剤の排出時に粉づまりを起こさず、高速排出性を有し、使用性に優れた食器洗浄機用粉末洗浄剤組成物及び食器洗浄機用粉末洗浄剤製品が提供される。
【図面の簡単な説明】
【図１】（ａ）及び（ｂ）は、本発明の食器洗浄機用粉末洗浄剤組成物を収納するパウチの一例を示す斜視図態様の説明面である。
【符号の説明】
１  パウチ
２  排出口
【図１】
2004204066.tif 000004